(57)【特許請求の範囲】
【請求項１】
シルケット加工を施した紡績糸を布状にレース編みして織布を形成し、そのレースの組織を、織布の長さ方向に組織する縦編糸と、該縦編糸の長さ方向に対して角度をもって組織する第一斜編糸と、該第一斜編糸と反対方向の角度で組織する第二斜編糸とで組織し、更に、各部に、上記縦編糸と上記第一斜編糸と上記第二斜編糸とが交錯することで紡績糸が密集した密集部と、上記縦編糸と上記第一斜編糸と上記第二斜編糸とで囲まれた三角形の空間部とを形成するように組織したことを特徴とするあかすり等の洗浄用レース。
【請求項２】
上記織布の各辺部を刺繍止めした請求項１記載のあかすり等の洗浄用レース。
【請求項３】
上記織布を構成するレース編みに用いる紡績糸は、木綿糸を原料とした双糸を用いると共に、これを交錯させながら上記縦編糸と上記第一斜編糸と上記第二斜編糸とをトーションレース編みして織布とする請求項１又は２記載のあかすり等の洗浄用レース。
【請求項４】
上記織布を構成するトーションレースに用いる紡績糸は、紡績番手２０の木綿糸を合糸した双糸を用いる請求項３記載のあかすり等の洗浄用レース。
【発明の詳細な説明】
【０００１】
【発明の属する技術分野】
本発明は、入浴時に肌の垢をこすり落とすのに用いるあかすり等に係り、特に、紡績糸をトーションレース編みして織布としたあかすり等の洗浄用レースに関するものである。
【０００２】
【従来の技術】
従来、肌の垢をこすり落とす浴用のあかすりとして、ナイロン等の化学繊維を布状にしたものが使用されていた。
【０００３】
例えば、特開平８−３３５８８号公報には、塩化ビニル繊維からなる糸により構成されるあかすりタオルが示されている。
【０００４】
また、体に優しい材料として天然素材であるヘチマを利用したものもある。
【０００５】
あかすりの条件としては、石鹸の泡立ちが良く、垢を十分にこすり落とすことができると共に、肌を痛め付けないものが望ましい。
【０００６】
【発明が解決しようとする課題】
しかしながら、化学繊維を用いたあかすりは、天然素材に比べると肌に良くないと共に、吸湿性および空気層の保持性もあまり良くないため、石鹸の泡立ちが悪かった。
【０００７】
そのため、化学繊維を用いたあかすりは、垢の落ちが悪い問題があった。
【０００８】
また、へちまを利用したものは、天然素材であるため肌には良いが、硬いので肌質によっては炎症を起こしてしまうと共に、その形状から洗いにくいという問題があった。
【０００９】
そこで、本発明の目的は、上記課題を解決し、肌に優しく、垢の落ちもよいあかすり等の洗浄用レースを提供することにある。
【００１０】
【課題を解決するための手段】
上記目的を達成するために、請求項１の発明は、シルケット加工を施した紡績糸を布状にレース編みして織布を形成し、そのレースの組織を、織布の長さ方向に組織する縦編糸と、該縦編糸の長さ方向に対して角度をもって組織する第一斜編糸と、該第一斜編糸と反対方向の角度で組織する第二斜編糸とで組織し、更に、各部に、上記縦編糸と上記第一斜編糸と上記第二斜編糸とが交錯することで紡績糸が密集した密集部と、上記縦編糸と上記第一斜編糸と上記第二斜編糸とで囲まれた三角形の空間部とを形成するように組織したことを特徴とするあかすり等の洗浄用レースである。
【００１１】
請求項２の発明は、上記織布の各辺部を刺繍止めした請求項１記載のあかすり等の洗浄用レースである。
【００１２】
請求項３は、上記織布を構成するレース編みに用いる紡績糸は、木綿糸を原料とした双糸を用いると共に、これを交錯させながら上記縦編糸と上記第一斜編糸と上記第二斜編糸とをトーションレース編みして織布とする請求項１又は２記載のあかすり等の洗浄用レースである。
【００１３】
請求項４は、上記織布を構成するトーションレースに用いる紡績糸は、紡績番手２０の木綿糸を合糸した双糸を用いる請求項３記載のあかすり等の洗浄用レースである。
【００１４】
【発明の実施の形態】
以下、本発明の一実施の形態を添付図面に基づいて詳述する。
【００１５】
図１（ａ）は、本実施の形態に係る洗浄用レース１０を示した概略図であり、図１（ｂ）は、洗浄用レース１０のトーションレースの組織を示した拡大図であり、図２は、図１におけるトーションレース組織をトーションジャカードで製作する際に使用する紋紙２０を示したものである。
【００１６】
図１（ａ）に示すように、洗浄用レース１０は、通常、テーブルクロス等の製作に使用するトーションレースをあかすり用に適応させたものであり、あかすりの条件に合わせるために様々な工夫がされている。
【００１７】
まず、洗浄用レース１０の材料としての紡績糸は、細い繊維を平行に並べて撚りによって拘束したものである。本発明では、泡立ちを考慮して紡績糸として天然素材である木綿糸を合糸した双糸を用いた。また、木綿糸の太さとして紡績番号２０の糸を合糸した双糸を用いた。
【００１８】
本発明者は、材料の選定の際に、様々な種類の糸を用いて洗浄用レースを製作し、試験を行った。
【００１９】
その結果、太い単糸で製作したレースは、硬くなり過ぎて肌触りが悪くなり、逆に糸が細いもので製作したレースは、生地が薄くなり過ぎて泡立ちが悪くなることが分かった。
【００２０】
そこで、これらの結果から、紡績番号２０の糸の双糸で製作したトーションレースが、あかすりとして使用するのに適していることが分かった。
【００２１】
また、紡績糸には、糸に含まれている不純物を取り除く目的と、表面のけばを取る目的のために、シルケット加工を施している。本実施の形態では、シルケット加工は、希硫酸に糸をさらす方法をとった。
【００２２】
図１（ａ）に示すように、シルケット加工を施した双糸を、トーションジャカードを用いてトーションレース編みすることで織布１１を製作する。この織布１１は、幅方向が約３０ｃｍ前後、長さ方向が約８５ｃｍ前後の大きさに組成される。
【００２３】
トーションレースの組織は、織布１１の長さ方向に組織される縦編糸１２と、その縦編糸１２と角度を持って交錯する斜編糸１３とがトーションレース編みされて構成されており、各縦編糸１２は、互いに等間隔を隔てて組織され、その間隔ｄ12は、約６〜７ｍｍ程度である。また、各斜編糸１３も、互いに等間隔を隔てて組織されており、その間隔ｄ13は、約６〜７ｍｍ程度である。
【００２４】
また、織布１１の各辺部には刺繍止め部１４が形成されている。
【００２５】
図１（ｂ）は、図１（ａ）において、丸で囲った部分の組織を拡大して示したものである。
【００２６】
図１（ｂ）に示すように、縦編糸１２および斜編糸１３は、２本の双糸１６，１６が交錯されて組織されており、斜編糸１３は、縦編糸１２に対して左右から角度をもって交錯して組織される。
【００２７】
本実施の形態では、斜編糸１３は、角度θ（約６０度）の方向に組織される第一斜編糸１３ａと、第一斜編糸１３ａと反対方向の角度で組織される第二斜編糸１３ｂとからなる。
【００２８】
斜編糸１３の第一斜編糸１３ａと第二斜編糸１３ｂとが、縦編糸１２と交錯することで、これら編糸１２，１３ａ，１３ｂが交錯して双糸１６，１６が６本（木綿糸で１２本）密集した密集部１５が形成されると共に、縦編糸１２と斜編糸１３ａ，１３ｂとで囲まれた三角形の空間部１７が形成される。
【００２９】
このレース組織をトーションジャカードで製作する際に用いる紋紙２０を図２に示した。
【００３０】
図中矢印で示した方向が、織布１１の長さ方向である。紋紙２０に示された黒点（穴）Ｐに合わせてトーションジャカードの針が開口動して、供給する双糸にねじりを加えながらトーションレース組織を編んでいくことで、図１に示した組織を有するトーションレースが製作できる。
【００３１】
次に本発明の作用を述べる。
【００３２】
洗浄用レース１０を、お湯に浸し、石鹸をつけて揉むことで、石鹸を泡立ててその状態で、身体を洗う。
【００３３】
この際、洗浄用レース１０には、双糸の密集した密集部１５と、縦編糸１２および斜編糸１３で囲まれた空間部１７が形成されていると共に、紡績糸は双糸１６，１６で形成されているため、その密集部１５、空間部１７および双糸１６，１６同士の隙間に、適度に石鹸が保持されて泡立つ。この際、従来のタオルに石鹸を付けた場合、その石鹸がつきすぎて、ヌルヌルした状態になるのに対して、本発明の洗浄用レース１０は、密集部１５の間に空間部１７が数多く存在するので、これが空気層を保つことで、ヌルヌルした感じがなく適度な泡立ち感が得られる。
【００３４】
また、２本の紡績糸を合糸した双糸を２本撚り合わせて各編糸を組織しているため、石鹸が糸と糸の隙間に入り込んで、その間に保持された石鹸と空気とが混ざり合って、石鹸の泡立ちが非常に良くなる。
【００３５】
石鹸を泡立てた洗浄用レース１０で肌をこすると、密集部１５と、その密集部１５をつなぐ縦編糸１２と斜編糸１３ａ，１３ｂとが、肌に接触して垢をこすり落とす。
【００３６】
この際、縦編糸１２と斜編糸１３ａ，１３ｂとは、細かい繊維が撚り合わされた紡績糸で形成される双糸１６，１６が交錯して組織されているため、石鹸の泡と紡績糸の細かい繊維が、肌の微妙な凹凸に入りこむことが可能となり、従来の化学繊維などで形成されたあかすりと違い、肌の細部にわたって垢をこすり落とすことができる。
【００３７】
図３は、洗浄用レース１０の長手方向の両端部を手に取り、長さ方向において前後に移動するように洗った時の肌の表面の様子を示した概略図である。
【００３８】
図３に示すように、洗浄用レース１０の両端を両手で持ちながら、肌に当ててこすると、洗浄用レース１０の密集部１５は、６本の双糸１６，１６が密集しているため、これがこぶとなって肌に接触する。図３に示すように、そのこぶが肌を押さえ付け、この状態で、密集部１５の間に組織されている斜編糸１３が、適度な張力で引っ張られつつ肌の表面を移動することで、斜編糸１３に保持されている石鹸の泡と、斜編糸１３を構成している各紡績糸の繊維が肌に微細に入り込んで、垢をこすり落とす。
【００３９】
また、洗浄用レース１０は、長手方向において、縦編糸１２により、その剛性が保持されているが、これが軽く引っ張られると、縦編糸１２に交錯している斜編糸１３が引っ張られて密集部１５と空間部１７が適度に変形して、泡立ちを促進させつつ垢をこすり落とすため、洗浄効果が増す。
【００４０】
また、お湯や石鹸に濡らすと、各編糸が縮むが、長さ方向に組織された縦編糸１２、および斜め方向に組織された斜編糸１３がその縮みを抑える。また、各変部に刺繍止め部１４が形成されているため、各編糸の縮みを制限してレース組織の形状を保つ。
【００４１】
上述した洗浄用レース１０を用いて、機械作業をした後の手の洗浄を行った所、指紋に入り込んだ機械油をもこすり落とすことが確認された。
【００４２】
すなわち、洗浄用レース１０を用いれば、トーションレース組織の密集部１５がこぶとなって垢を落とすと共に、縦編糸１２および斜編糸１３を構成している紡績糸の繊維が肌に入り込み垢を落とすため、垢の落ちが良い。
【００４３】
また、紡績糸にシルケット加工を施して、けばを溶かしているため、タオルのようにヌルヌル感がなく、適度なざらつき感が残り、垢が良く落ちる。
【００４４】
トーションレース組織の隙間および各糸の隙間に空気の層を保てるので泡立ちが良い。
【００４５】
天然素材を用いているため、肌に優しいと共に、吸湿性が良く泡立ちが良い。
更に、布状であるため洗い易い。
【００４６】
各端部１４を刺繍止めしているため、糸の抜けを防止すると共に、干した時に皺に成り難い。
【００４７】
本発明は、糸の種類を変えることで、肌触りを変えることができるため様々な肌質に適応できる。従って、本発明は糸の種類には限定されないものである。
【００４８】
更に、これまであかすりとして説明してきたが、本発明はその点に関して限定されず、例えば、食器を洗うナプキンなど他の洗浄に用いても良い。
【００４９】
【発明の効果】
以上要するに本発明によれば、シルケット加工を施した紡績糸を布状にレース編みして織布を形成し、そのレースの組織を、織布の長さ方向に組織する縦編糸と、該縦編糸の長さ方向に対して角度をもって組織する第一斜編糸と、該第一斜編糸と反対方向の角度で組織する第二斜編糸とで組織し、更に、各部に、上記縦編糸と上記第一斜編糸と上記第二斜編糸とが交錯することで紡績糸が密集した密集部と、上記縦編糸と上記第一斜編糸と上記第二斜編糸とで囲まれた三角形の空間部とを形成するように組織されているため、密集部と三角形の空間部により適度に石鹸が保持されて泡立ち、密集部がこぶとなって垢の落ちが良く、しかも天然素材で肌に優しいという優れた効果が得られるものである。
【図面の簡単な説明】
【図１】図１（ａ）は、本発明に係る洗浄用レースの概略図である。図１（ｂ）は、図１（ａ）におけるトーションレースの組織を示した拡大図である。
【図２】図１におけるトーションレースをトーションジャカードを用いて製作する際に使用する紋紙を示した図である。
【図３】本発明にかかる洗浄用レースを用いて洗浄を行った時の、肌の表面および洗浄用レースの状態を示した図である。
【符号の説明】
１０  洗浄用レース
１１  織布
１２  縦編糸
１３  斜編糸
１５  密集部
１６  双糸
１７  空間部
【図１】
0004112765.tif 000002
【図２】
0004112765.tif 000003
【図３】
0004112765.tif 000004